【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
水性インク組成物であって、
水と；
任意要素の共溶媒と；
任意要素の着色剤と；
コアとシェルを有するコンポジットナノ粒子とを含み、
前記コアは、ポリマーコア樹脂を含み、場合により金属を含み、
前記シェルは、金属イオンポリマー樹脂を含む、水性インク組成物。
【請求項２】
前記コンポジットナノ粒子のコア樹脂が、スチレン、アクリレート、スチレンブタジエン、スチレンメタクリレートおよびこれらの組み合わせからなる群から選択される、請求項１に記載の水性インク組成物。
【請求項３】
前記コンポジットナノ粒子のコア樹脂が、ポリ（スチレン−アクリル酸アルキル）、ポリ（スチレン−１，３−ジエン）、ポリ（スチレン−メタクリル酸アルキル）、ポリ（スチレン−アクリル酸アルキル−アクリル酸）、ポリ（スチレン−１，３−ジエン−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（スチレン−１，３−ジエン−アクリロニトリル−アクリル酸）、ポリ（アクリル酸アルキル−アクリロニトリル−アクリル酸）、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）、ポリ（スチレン−ブタジエン）、ポリ（スチレン−イソプレン）、ポリ（スチレン−メタクリル酸ブチル）、ポリ（スチレン−アクリル酸ブチル−アクリル酸）、ポリ（スチレン−メタクリル酸ブチル−アクリル酸）、ポリ（メタクリル酸ブチル−アクリル酸ブチル）、ポリ（メタクリル酸ブチル−アクリル酸）、ポリ（アクリロニトリル−アクリル酸ブチル−アクリル酸）、およびこれらの組み合わせからなる群から選択される、請求項１に記載の水性インク組成物。
【請求項４】
前記コンポジットナノ粒子のシェルが銀イオノマー樹脂を含む、請求項１に記載の水性インク組成物。
【請求項５】
任意要素のコアの金属が存在する場合、前記コアの金属は、銀、コバルト、銅、ニッケル、金、パラジウム、およびこれらの組み合わせからなる群から選択され、
前記シェルの前記金属イオンポリマー樹脂の金属が、銀、コバルト、銅、ニッケル、金、パラジウム、およびこれらの組み合わせからなる群から選択される、請求項１に記載の水性インク組成物。
【請求項６】
任意要素のコアの金属が存在する場合、前記コアの金属は、銀であり、
前記シェルの前記金属イオンポリマー樹脂の金属が、銀である、請求項１に記載の水性インク組成物。
【請求項７】
前記シェルの前記金属イオンポリマー樹脂は、銀アクリレートモノマー、銀メタクリレートモノマー、およびこれらの組み合わせからなる群から選択される銀コンポジットモノマーを含む、請求項１に記載の水性インク組成物。
【請求項８】
コンポジットナノ粒子が、アクリレート−銀またはメタクリレート−銀のナノコンポジットを含み、この銀は、０．５ｐｐｍ〜５，０００ｐｐｍの濃度で存在する、請求項１に記載の水性インク組成物。
【請求項９】
前記コンポジットナノ粒子の前記シェルの前記金属イオンポリマー樹脂は、メタクリル酸メチル、アクリル酸ブチル、ジアクリレート、シクロヘキシルメタクリレート、スチレン、メタクリル酸、ジメチルアミノエチルメタクリレート、およびこれらの組み合わせからなる群から選択されるコモノマーを含む、請求項１に記載の水性インク組成物。
【請求項１０】
前記コンポジットナノ粒子は、体積平均粒径が、１０〜６００ナノメートルである、請求項１に記載の水性インク組成物。
【請求項１１】
任意要素の前記ポリマーコア樹脂の金属が存在し、前記コア樹脂は、銀アクリレートモノマー、銀メタクリレートモノマー、およびこれらの組み合わせからなる群から選択される銀コンポジットモノマーを含む、請求項１に記載の水性インク組成物。
【請求項１２】
任意要素のコアの金属が存在する場合、前記シェルの金属が、銀および１つ以上の他の金属を含むコンポジットを含むか、
任意要素のコアの金属が存在する場合、前記シェルの金属が、銀および１つ以上の非金属を含むコンポジットを含むか、または、
任意要素のコアの金属が存在する場合、前記シェルの金属が、銀、１つ以上の他の金属および１つ以上の非金属を含むコンポジットを含む、請求項１に記載の水性インク組成物。
【請求項１３】
前記着色剤が存在し、前記着色剤は、染料、顔料、およびこれらの組み合わせからなる群から選択され、場合により、前記着色剤は、着色剤と、任意要素の界面活性剤と、任意要素の分散剤とを含む分散物である、請求項１に記載の水性インク組成物。
【請求項１４】
インク組成物は、透明オーバーコートを含む、請求項１に記載の水性インク組成物。
【請求項１５】
インク組成物は、印刷されると、基材に抗菌特性および抗真菌特性を与える、請求項１に記載の水性インク組成物。
【請求項１６】
前記コンポジットナノ粒子が、抗菌性、抗真菌性、抗ウイルス性の殺生物効果のために銀イオンを運ぶための容器として作用する、請求項１に記載の水性インク組成物。
【請求項１７】
水と；任意要素の共溶媒と；任意要素の着色剤と；コアとシェルを有するコンポジットナノ粒子とを含み、コアが、ポリマーコア樹脂を含み、場合により金属を含み、シェルが金属イオンポリマー樹脂を含む、水性インクをインクジェット印刷装置に組み込むことと、
中間転写体に、または最終的な画像受け入れ基材に直接的に、インク液滴を画像状のパターンになるように放出することと、
場合により、画像を加熱し、溶媒を部分的または完全に除去することと、
場合により、中間転写体が使用されるとき、中間転写体から最終的な記録基材へと画像状のパターンになったインクを転写することとを含む、プロセス。
【請求項１８】
基材が、三次元基材を含む、請求項１７に記載のプロセス。
【請求項１９】
コンポジットが、抗菌性、抗真菌性、抗ウイルス性の殺生物効果のために銀イオンを運ぶための容器として作用する、請求項１７に記載のプロセス。